(57)【要約】【課題】複数の遊技台を横方向に配列した遊技島に設けられ、遊技台に対応して設けられた投入口から投入された紙幣を遊技島の端へと搬送する紙幣搬送装置において、遊技台の上方前面側に配置した紙幣搬送ユニットに、遊技情報、広告、宣伝を行う表示媒体を装着を配置する。【解決手段】紙幣搬送装置を各遊技台に対応して設けられた紙幣搬送ユニット１６を連ねて構成する。紙幣搬送ユニット１６は、搬送路を開閉可能に覆う搬送ユニットカバー３２を有する。搬送ユニットカバー３２に、表示媒体２８が固定されている。【選択図】        図９
2004298450.tif 000002
【特許請求の範囲】
【請求項１】
横方向に配列された遊技台の上方の前面側に、遊技台配列方向に沿って設けられた搬送路に沿って紙幣を搬送する紙幣搬送装置を構成し、前記個々の遊技台に対応して設けられた紙幣搬送ユニットであって、
前記搬送路を覆い、開閉可能な搬送ユニットカバーと、
紙幣が投入される投入部を覆い、開閉可能な投入部カバーと、を有し、
前記搬送ユニットカバーの前面に、静止または動画表示を行う表示媒体が備えられていることを特徴とする、紙幣搬送装置。
【発明の詳細な説明】
【０００１】
【発明の属する技術分野】
本発明は、遊技台に対応して設けられた遊技媒体貸出装置に、遊技媒体と交換するために投入された紙幣を回収すると共に、遊技情報や広告情報などを表示する表示媒体を備えた紙幣搬送装置に関する。
【０００２】
【従来の技術】
近年、図１３に示すような構成の紙幣搬送装置が、例えば実開平４−９０３８９号公報に開示されている。すなわち、遊技媒体の貸出のために投入された紙幣が、各遊技媒体貸出機３の上方に設けられた紙幣投入口３ａから紙幣識別装置３ｂを介して紙幣を起立姿勢で搬送する紙幣搬送装置４により、遊技島の端部に設けた島管理装置内に搬送し、内方側の紙幣収納装置にて、整列・収納されるようになっている。
【０００３】
【発明が解決しようとする課題】
しかし前述の公報に示された紙幣搬送装置の表面には、紙幣投入口が配置されているだけで、その他にあっては一般的に、メーカー名、機種名（商品名）等の文字が施されているに過ぎず、装飾、広告と言った面での配慮は全く採られていないものであった。
【０００４】
本発明は、遊技台の上方の前面側に搬送路を形成し、その搬送路の更に前面に遊技者への遊技情報、コマーシャルとしての広告、宣伝表示を行う表示媒体を備えた紙幣搬送装置を提供することを目的とする。
【０００５】
【課題を解決するための手段】
本発明にかかる紙幣搬送装置は、横方向に配列された遊技台の上方の前面側に、遊技台配列方向に沿って設けられた搬送路に沿って紙幣を搬送する紙幣搬送装置を構成し、前記個々の遊技台に対応して設けられた紙幣搬送ユニットであって、前記搬送路を覆い、開閉可能な搬送ユニットカバーと、紙幣が投入される投入部を覆い、開閉可能な投入部カバーと、を有し、前記搬送ユニットカバーの前面に、静止または動画表示を行う表示媒体が備えられている。
【０００６】
【発明の実施の形態】
以下、本発明の実施の形態（以下実施形態という）を、図面に従って説明する。図１は、本発明にかかる紙幣搬送装置が適用される遊技島１０の概略構成を示す図である。遊技島１０は、複数の遊技台１２を横方向に配列して構成される。図示する遊技台１２はスロットマシンとして示されているが、他の種類、例えばパチンコ台であってもよい。また、店内のレイアウトにより遊技台１２を図の背面側に、図示する遊技台と背中合わせとなるように配列することも可能である。各遊技台１２の間には、遊技媒体貸出機１４が配置される。また、各遊技台１２の上方の前面側には紙幣搬送ユニット１６が配置され、各紙幣搬送ユニット１６が横方向に連なって紙幣搬送装置１８を構成している。紙幣搬送ユニット１６が配置されたさらに上方には、ストック箱を置いておく玉箱収納部２０が設けられている。
【０００７】
紙幣搬送ユニット１６は、会員カードを挿入するカード挿入口２１と、紙幣を投入する投入部２２と、投入された紙幣を搬送する搬送路２４を含む。投入部２２に投入された紙幣は、同じ紙幣搬送ユニット１６に属する搬送路２４に送られ、さらに、この搬送路２４によって図中左隣の紙幣搬送ユニット１６に送られる。搬送される紙幣は、遊技島１０の端（図中左端）の紙幣搬送ユニット１６においては、遊技島１０の端に設けられた島管理装置２６に送られ、ここに揃えて収容される。このとき、回収した紙幣の枚数を数え、売り上げカウントされる。
【０００８】
カード挿入口２１に会員カードが挿入されると、貯メダル枚数、会員情報等が後述する表示媒体２８に表示される。また、投入部２２に紙幣が投入されると、これに対応した数の遊技媒体が遊技媒体貸出機１４の払出口３０から払出される。遊技媒体は、遊技台１２の種類によって異なり、スロットマシンであればメダルであり、パチンコ台であればパチンコ玉である。
【０００９】
図２は、一つの紙幣搬送ユニット１６の外観を示す正面図である。紙幣搬送ユニットは、前述のように紙幣を投入する縦型の投入口３０が設けられた投入部２２と、投入された紙幣、または隣接する紙幣搬送ユニット１６から送られて来た紙幣を搬送する搬送路２４を含む。図示される紙幣搬送ユニット１６の場合、紙幣は右下から左上へと向けて送られる。
【００１０】
また、前記搬送路２４部位の前面には、ＬＥＤドットマトリクス表示装置、液晶表示装置、ＥＬ（エレクトロ・ルミネッセンス）ディスプレイなどの、本発明にかかる、静止または動画表示を行う表示媒体２８が備えられていて、遊技者への遊技情報、あるいはパチンコ店のコマーシャルとしての広告、宣伝等を表示する。
【００１１】
図３および図４は、紙幣搬送ユニット１６の搬送ユニットカバー３２を開放し、内部の構造が見える状態を示した図である。また、図４に示されるように、搬送ユニットカバー３２は、二つの支持具３４にて回動可能に支持されている。また、これらの支持具３４は、不図示ではあるがボルトなどによって所定位置に固定されている。なお、図４においては、左側に隣接する紙幣搬送ユニット１６を合わせて示してある。
【００１２】
図３は、投入部の内部構造を覆っている投入部カバー３６を外し、更に搬送ユニットカバー３２を開放した状態を示している。投入部カバー３６にはキー穴３８が備えられ、ここに所定のキーを差し込んで回すことにより、投入部カバー３６内に設けられたロック機構（不図示）のロックが解除され、紙幣搬送ユニット１６より取り外すことができる。投入部カバー３６を外すと、図示するように搬送ユニットカバー３２を手前、下方に回動させ、搬送部２４の内部を開放することができる。
【００１３】
表示媒体２８は、搬送ユニットカバー３２に固定されており、該カバー３２の開放動作においても一体となって回動する。なお、上記においては手動によるキーを差し込んでのロック解除操作としたが、リモコン操作による解除操作としてもよい。
【００１４】
搬送ユニットカバー３２で覆われる内部には、紙幣を送る無端状の駆動ベルト４０を備えた搬送駆動部４２が配置されている。また、駆動ベルト４０の下側に略平行に上方を開放したコの字型の下部案内レール４４が配置されている。搬送ユニットカバー３２の内側には、駆動ベルト４０に対向する位置に押さえローラ４６が、さらに該カバー３２を閉じたときに、駆動ベルト４０の上方となる位置に上部案内レール４８が配置されている。紙幣は、駆動ベルト４０と押さえローラ４６に挟まれ、駆動ベルト４０の駆動により上部および下部案内レール４８，４４により形成される主搬送路に沿って移動する。
【００１５】
投入部カバー３６の内部には、投入された紙幣を真正なものか識別し、正規のもののみ搬送路に向けて送り出す識別搬送部５０が配置されている。識別搬送部５０には、紙幣の表面に描かれた図柄を識別する光学センサおよび磁気センサ（共に不図示）が配置され、登録された紙幣の図柄による検出パターンと、投入された紙幣のパターンとを比較して不正紙幣の判定を行う。本実施形態においては、昨今流通紙幣として使用されている千円、二千円、五千円、一万円の４金種の検出パターンを内部記憶し、投入を受け付けることができ、判別可能となっている。
【００１６】
識別中の紙幣は、もしそれが不正な紙幣であれば受け付けることができないので、主搬送路へ送ることができない。言い換えれば、紙幣の真偽の確認が終わるまで、紙幣を主搬送路から分離しておく必要がある。紙幣搬送ユニット１６においては、識別中の紙幣は、前述の主搬送路に並行して配置された識別用搬送路内に留まるようになっており、真正なものと判断された後、上流側から送られる紙幣と重ならないタイミングで主搬送路へと送り出される。この新たに投入された紙幣の搬送は、識別搬送部５０内に備えられたモータ（不図示）の駆動力により、行われる。なお、主搬送路と識別用搬送路の詳細については後述する。
【００１７】
図４は、図３の状態から、更に識別搬送部５０および搬送駆動部４２を取り外した状態を示している。図から判るように、識別搬送部５０は、搬送駆動部４２に対して取り付けられている。識別搬送部５０の取り付けられていた位置の下側には、主搬送路モータ５２が位置し、これが駆動ベルト４０を回転させる。また、識別搬送部５０が取り付けられた位置から、ここより離れる方向に、主搬送路と識別用搬送路を分ける分離ガイド５４が設けられている。この分離ガイド５４の図面において奥側を、隣接する紙幣搬送ユニット１６から送られてくる紙幣が搬送され（主搬送路）、手前側を新たに投入された紙幣が搬送される（識別用搬送路）。
【００１８】
前述のように支持具３４は、ボルトやタッピングねじなどの締結部品によって遊技台１２の上方の所定位置に固定されている。より詳しくは、支持具３４に形成された取付穴６０にボルトなどの締結部品を貫通させて、遊技島１０との締結を行っている。図中、その下端には、蝶番が形成されており、この蝶番片６２に搬送ユニットカバー３２が取り付けられている。この結果、該カバー３２は、その下辺付近を軸として回動可能に遊技台１２の上方の前面側に取り付けられ、この回動により開閉動作が達成される。支持具３４は、図示するように全体として略Ｌ字形に構成され、図中上端と、下端部において前面側に延びるＬ字の先端付近に固定片６４が設けられている。ここには、ボルトまたはタッピングねじに対応した穴が設けられており、ここに搬送駆動部４２がボルトなどにより固定される。
【００１９】
図４に示されているように、搬送ユニットカバー３２の回動動作の軸が設けられている下辺の中央付近の側面には、表示媒体２８の表示、動作を制御する信号が送られる複数本の長い信号配線１０４を保持するＨ字形の保持具１０６が固定されている。
【００２０】
図５および図６は、信号配線１０４の取り回しの様子を示す断面図である。識別搬送部５０などは省略してある。保持具１０６は、図において下側の側面に、この側面と所定の間隔をあけて固定されている。搬送ユニットカバー３２の前面側（遊技者側）の面には貫通孔１０８が設けられており、ここから表示媒体２８の信号配線１０４が導き出されている。信号配線１０４は、保持具１０６のＨ字形の二つの股部分の一方（表示媒体側）をくぐり、Ｈ字形の横棒と搬送ユニットカバー３２の側面との間を通る。更に、もう一方の股部分を通って、紙幣搬送ユニット１６の裏側へ、すなわち遊技島１０内部の接続器（不図示）に接続される。接続器には、個々の遊技台１２に接続する信号線、および遊技島全体、更には店全体の管理を行う管理装置と接続する信号線の端が配置され、接続器を介してこれらの設備と表示媒体２８との接続がなされている。信号配線１０４は、保持具１０６のＨ字形を構成する縦の部材により左右方向の動きを規制される。また、Ｈ字形の横棒によって、搬送ユニットカバー３２の開閉動作に伴って、これと共に移動する。これによって、信号配線１０４は、保持具１０６によって、搬送ユニットカバー３２の内側の所定位置に確実に保持される。保持具１０６のＨ字形の横棒は、下部案内レール４４のほぼ真下に配置されており、信号配線１０４が紙幣の搬送路と干渉することを確実に防止している。
【００２１】
図７および図８は、本発明の表示媒体２８を備えた紙幣搬送ユニット１６を示し、図７はＬＥＤドットマトリクス表示装置、図８は液晶表示装置で、後述する表示内容を制御する制御部２０２を備え、遊技者への遊技情報、パチンコ店のコマーシャルとしての広告、宣伝等を表示する。
【００２２】
本発明によれば、遊技台１２毎に取り付けられる紙幣搬送ユニット１６の表示媒体２８には、遊技台１２の、フィーバや入賞、および故障といった作動状況を、文字・図柄、およびそれらの組合せを静止またはスクロール表示する。これら作動状況は、遊技台１２と表示媒体２８が同時に表示され、このことにより遊技状況（雰囲気）が一層盛り上がる。
【００２３】
また、遊技台１２と連動せずに、ずなわち、遊技台１２が待機中にあっては、前記パチンコ店のコマーシャル（例えば、イベント、新装開店、新台入替…）等を、一つの紙幣搬送ユニット１６に、または２〜３台、或いは島全体の紙幣搬送ユニット１６、１６…に、ランニングスルロールさせる。これらコマーシャル内容は、予め記憶部２０４に記憶されている。この記憶内容は、島管理装置２６から通信線２０６を介してパソコンなどの入力装置からデータを入力し、書き込む。尚、この記憶内容の変更は、携帯入力装置（リモコン）操作でも可能である。
【００２４】
また、遊技者は、遊技途中で食事休憩を取る場合がある。このような場合、遊技者は、呼出ボタンによって店員を呼び出し、店員にその旨を通知する。要望を受けた店員は、手持ちのリモコン３００の「食事」ボタンをオンする。これにより、食事休憩を表示する信号が表示媒体２８の制御部２０２に向かって発信される。この信号を受信した表示媒体２８は、現在表示中の画面に割り込んで、「食事・休息中」と、その「経過時間」をカウントアップ表示する。そして、予め定められた時間経過後は自動的にリセットされ、割り込み前の画面を表示する。若しくは、リコモン３００の「リセット」ボタン操作により終了する。
【００２５】
尚、ＬＥＤドットマトリクス表示装置にあっては、１個または縦列、横列等のＬＥＤを、例えば音パターンに対応して点灯・点滅・消灯し、島全体等の装飾効果を高めることができる。
【００２６】
【発明の効果】
以上、比較的、遊技者に近い場所に設けられた紙幣搬送ユニットの搬送ユニットカバーの前面に、遊技情報や広告情報などを表示する表示媒体を備えたことにより、それら情報は否応なしに目につき、遊技客に対する遊技情報のサービスの提供、ホールを初めとする各種宣伝効果は顕著なものである。
【図面の簡単な説明】
【図１】遊技島の概略構成を示す図である。
【図２】紙幣搬送ユニットの外観図である。
【図３】搬送ユニットカバー及び投入部カバーを開いた状態を示す図である。
【図４】紙幣搬送ユニットより更に識別搬送部及び搬送駆動部を取り外した状態を示した図である。
【図５】紙幣搬送ユニットの、搬送方向に直交する面による断面図であり、搬送ユニットカバーが閉じた状態を示している。
【図６】紙幣搬送ユニットの、搬送方向に直交する面による断面図であり、搬送ユニットカバー開いた状態を示している。
【図７】ＬＥＤドットマトリクス表示媒体を備えた紙幣搬送ユニットの外観図である。
【図８】液晶表示媒体を備えた紙幣搬送ユニットの外観図である。
【図９】遊技情報内容の説明図である。
【図１０】食事休憩中の表示内容の説明図である。
【図１１】表示媒体の概略構成を示す図である。
【図１２】店員の操作リモコンの外観図である。
【図１３】従来の紙幣搬送装置及び遊技媒体貸出機の例を示す図である。
【符号の説明】
１０  遊技島、１２  遊技台、１４  遊技媒体貸出機、１６  紙幣搬送ユニット
２２  投入部、２４  搬送路、２８  表示媒体、３２  搬送ユニットカバー、
３４  支持具、４０  駆動ベルト、４２  搬送駆動部、１０４  信号配線、
１０６  保持具、１０８  蓋部の貫通孔。
【図１】
2004298450.tif 000003
【図２】
2004298450.tif 000004
【図３】
2004298450.tif 000005
【図４】
2004298450.tif 000006
【図５】
2004298450.tif 000007
【図６】
2004298450.tif 000008
【図７】
2004298450.tif 000009
【図８】
2004298450.tif 000010
【図９】
2004298450.tif 000011
【図１０】
2004298450.tif 000012
【図１１】
2004298450.tif 000013
【図１２】
2004298450.tif 000014
【図１３】
2004298450.tif 000015